(57)【要約】      （修正有）【課題】皮革を縫製した作業用手袋について、吸汗性を向上すると共に、縫製部が手に直接当たり皮膚を圧迫し良好な装着感を得られないとの不具合点を解消し、更に、作業中に鋭利な刃物等により受ける切創を防止するため耐カット性を向上する。【解決手段】牛・豚等の動物性皮革若しくは合成皮革を縫製して五本指の手袋形状に形成した縫製手袋１０の内側に、綿・麻等の天然繊維、アクリル・ポリエステル等の化学繊維、若しくはアラミド繊維・高強度ポリエチレン等の強化化学繊維からなる紡績糸を撚った単糸若しくは諸糸を単独もしくは複数使用し、五本指の手袋形状に形成した編成手袋３０を縫合して一体とした作業用手袋１とした。【選択図】図１
0003137355.tif 000002
【実用新案登録請求の範囲】
【請求項１】
手のひら部を被覆する本体部と手首部を被覆する袖部からなり、皮革を縫製して五本指の手袋形状に形成した縫製手袋の内側に、五本指の手袋形状に形成した編成手袋を縫合して一体としたことを特徴とする作業用手袋。
【請求項２】
前記縫製手袋の皮革は、牛・豚等の動物性皮革若しくは合成皮革からなることを特徴とする請求項１に記載の作業用手袋。
【請求項３】
前記編成手袋は、綿・麻等の天然繊維、アクリル・ポリエステル・ポリアミド等の化学繊維、若しくはアラミド繊維・高強度ポリエチレン等の強化化学繊維からなる単素材紡績糸若しくは混合紡績糸であって、前記紡績糸を一本で撚った単糸または同種類若しくは異種類の前記紡績糸を複数本で撚った双糸等の諸糸を用い、前記単糸若しくは諸糸を単独使用しまたは同種類若しくは異種類の前記単糸若しくは諸糸を複数使用し編成されたことを特徴とする請求項１若しくは２に記載の作業用手袋。
【請求項４】
前記縫製手袋の縫製部が内縫い縫製若しくは外縫い縫製のいずれかにより形成されていることを特徴とする請求項１乃至３のいずれかに記載の作業用手袋。
【請求項５】
前記縫製手袋の本体部と袖部との境界部に縫製部が形成されていることを特徴とする請求項１乃至４のいずれかに記載の作業用手袋。
【請求項６】
前記縫製手袋の袖部にマジックテープを組付けたことを特徴とする請求項１乃至４のいずれかに記載の作業用手袋。
【請求項７】
前記縫製手袋の袖部を欠落させて露出させた前記編成手袋の袖部にゴム編み部を形成したことを特徴とする請求項１乃至５のいずれかに記載の作業用手袋。
【考案の詳細な説明】
【技術分野】
【０００１】
本考案は、作業用手袋に関し、更に詳しくは、皮革を縫製した縫製手袋の装着感を改良し、合わせて耐カット性・耐防寒性にも優れる二重の作業用手袋に関する。
【背景技術】
【０００２】
従来、皮革を縫製した作業用の縫製手袋は、耐久性に優れるが、作業時に汗を掻き易く、掻いた汗が手袋の内面に付着し吸汗性が悪いとの不具合点があった。この不具合点を解決するため、皮革を縫製した作業用の縫製手袋の内側にメリヤス編みの布を裁断して汗を掻く部分に縫合し、吸汗性を改良することが行われている。
【０００３】
しかし、縫製手袋は皮革を縫製して手袋形状としているので、装着時に縫製部が直接手に当たり皮膚を圧迫し、良好な装着感を得られないとの不具合点が存在し、上述のメリヤス編みの布を裁断して汗を掻く部分に内側から縫合するのでは、縫製部と手との間に布が介在しないため、このような不具合点について何ら解決されなかった。
【０００４】
また、下記文献には、吸汗性を改良するため外側用手袋に、紙や吸湿性化学繊維のごとき薄手吸湿性素材により作成された内側用手袋を装着自在に挿入して使用する二重手袋が提案されている。しかし、この内側用手袋は、紙や吸湿性化学繊維のごとき薄手吸湿素材を使用しているため、縫製手袋の縫製部が手に当たり皮膚を圧迫し良好な装着感を得られないとの不具合点を解消するには至らず、しかも薄手吸湿素材を糊、熱熔着等により接着させて手袋形状としているので、その接着部が手に当たり皮膚を圧迫し装着感を悪くするとの別の不具合を有していた。
【０００５】
また、皮革の縫製手袋は、耐カット性については優れているが、鋭利な刃物等に対しては必ずしも十分でなく、作業中に鋭利な刃物等による手の切創から保護する必要もあった。
【０００６】
更に、皮革を縫製した作業用手袋は、手袋を装着した際に、手袋の手首部を手に密着させる配慮が施されていないので、外気が手袋の入口より浸入し、保温性を低下させるとの不具合点もあった。
【０００７】
【特許文献１】特開平０７−１２６９０４号
【考案の開示】
【考案が解決しようとする課題】
【０００８】
本考案は、かかる上述の問題点を解決するためになされたものであって、その目的とするところは、皮革を縫製した作業用手袋の吸汗性を向上すると共に、縫製部が手に当たり皮膚を圧迫し良好な装着感を得られないとの不具合点を解消することである。
【０００９】
また、別の目的は、作業中に鋭利な刃物等から受ける手の切創を防止するための耐カット性を更に向上することである。
【００１０】
また、別の目的は、皮革を縫製した作業用手袋の防寒性を向上すると共に、作業用手袋の内側に外気が浸入して保温性が低下するのを防止することである。
【課題を解決するための手段】
【００１１】
上記目的を達成するため、本考案の請求項１に係る作業用手袋は、手のひら部を被覆する本体部と手首部を被覆する袖部からなり、皮革を縫製して五本指の手袋形状に形成した縫製手袋の内側に、五本指の手袋形状に形成した編成手袋を縫合して一体としたことを特徴とするものである。
【００１２】
また、本考案の請求項２に係る作業用手袋は、請求項１に記載の作業用手袋であって、前記縫製手袋の皮革は、牛・豚等の動物性皮革若しくは合成皮革からなることを特徴とするものである。
【００１３】
また、本考案の請求項３に係る作業用手袋は、請求項１若しくは２に記載の作業用手袋であって、前記編成手袋は、綿・麻等の天然繊維、アクリル・ポリエステル・ポリアミド等の化学繊維、若しくはアラミド繊維・高強度ポリエチレン等の強化化学繊維からなる単素材紡績糸若しくは混合紡績糸であって、前記紡績糸を一本で撚った単糸または同種類若しくは異種類の前記紡績糸を複数本で撚った双糸等の諸糸を用い、前記単糸若しくは諸糸を単独使用しまたは同種類若しくは異種類の前記単糸若しくは諸糸を複数使用し編成されたことを特徴とするものである。
【００１４】
また、本考案の請求項４に係る作業用手袋は、請求項１乃至３のいずれかに記載の作業用手袋であって、前記縫製手袋の縫製部が内縫い縫製若しくは外縫い縫製のいずれかにより形成されていることを特徴とするものである。
【００１５】
また、本考案の請求項５に係る作業用手袋は、請求項１乃至４のいずれかに記載の作業用手袋であって、前記縫製手袋の本体部と袖部との境界部に縫製部が形成されていることを特徴とするものである。
【００１６】
また、本考案の請求項６に係る作業用手袋は、請求項１乃至４のいずれかに記載の作業用手袋であって、前記縫製手袋の袖部にマジックテープ（登録商標）を組付けたことを特徴とするものである。
【００１７】
また、本考案の請求項７に係る作業用手袋は、請求項１乃至５のいずれかに記載の作業用手袋であって、前記縫製手袋の袖部を欠落させて露出させた前記編成手袋の袖部にゴム編み部を形成したことを特徴とするものである。
【考案の効果】
【００１８】
本考案は、以下の効果を奏する。
【００１９】
すなわち、上記構成を備えた作業用手袋は、外側の皮革を縫製した縫製手袋の内側に編成手袋が縫合されているので、作業中に掻いた汗を編成手袋で吸収することができ、吸汗性を向上することができる。また、内側の手袋が編成手袋であるので縫製部がなく、しかも縫製手袋の縫製部と手の皮膚との間に編成手袋が介在するので編成手袋がクッションの機能を果たし、皮革の縫製部が手に直接当たり皮膚を圧迫するのを防止し、装着感を向上することができる。
【００２０】
更に、内側に縫合される編成手袋に使用する繊維を耐カット性に優れるアラミド繊維・高強度ポリエチレン等にすることで、作業中に鋭利な刃物等から受ける手の切創を保護するための耐カット性を更に向上することができ、また、保温性に優れるアクリル・ポリエステル等にすることで、防寒性を向上することができ、外側の皮革製の縫製手袋の特徴である優れた耐久性・耐水性に付加する機能を編成手袋の繊維の種類・太さ等を変更することで対応することが可能となり、使用条件に対応した種々の作業用手袋を簡易に揃えることができる。
【００２１】
また、請求項６に示すように縫製手袋の袖部にマジックテープを組み付け、若しくは、請求項７に示すように縫製手袋の袖部を欠落させ露出させた編成手袋の手首部にゴム編み部を形成すると、手袋の手首部を手に圧着させることができ、外気が手袋の入口より浸入するのを防止し、保温性を向上することができる。
【考案を実施するための最良の形態】
【００２２】
つぎに本考案の実施形態を図面にしたがって説明する。
【００２３】
第１実施形態：
図１は、本発明に係る第１実施形態の作業用手袋であり、（１）は背側から見た説明図、（２）は腹側から見た説明図であり、左右対称であるため右手用のみを示している。この作業用手袋１は、本体部と袖部からなり、実線で示した縫製手袋１０と、その内側に縫合されている破線で示した編成手袋３０とを備えている。
【００２４】
縫製手袋１０は、皮革を縫製して五本指の手袋形状に形成したものであって、使用される皮革としては、牛・豚等の動物性皮革であっても良く、合成皮革であっても良い。また動物性皮革の場合には、表面の皮革である吟革だけでなく、二番皮・三番皮等の床革であっても良い。また、皮革を縫製することにより形成される縫製部１８は、内側に位置させる内縫い縫製、及び外側に位置させる外縫い縫製のいずれであっても良い。
【００２５】
更に、縫製手袋１０の本体部１５と袖部１１とは一体で成形されたものであっても良く、また、図２に示す通り、本体部１５と袖部１１との境界部に縫製部１８が形成されていても良い。
【００２６】
また、縫製手袋１０の袖部１１には、手袋の中に手を入れ易いようにスリット１２が形成されており、そのスリット１２を挟むように、マジックテープ１３（１３Ａ・１３Ｂ）が組付けられていて、このマジックテープ１３により、袖部１１を手に圧着させることができるようになっている。尚、図１では、スリット１２及びマジックテープ１３が形成されている場合について説明したが、図２に示す通り、スリット及びマジックテープがない場合であっても良いことは言うまでもない。
【００２７】
編成手袋３０は、糸を編成して五本指の手袋形状に形成したものであり、編成により手袋形状に形成したので縫製部が形成されていない。編成手袋３０は、綿・麻等の天然繊維、アクリル・ポリエステル・ポリアミド等の合成繊維、またはアラミド繊維（商品名が東レ・デュポン社製のケブラー（登録商標）等）・高強度ポリエチレン繊維（商品名が東洋紡社製のダイニーマ（登録商標）等）の繊維を用い、それらの繊維を一種類で紡績した単素材紡績糸、若しくは二種類以上用いて紡績した混合紡績糸とし、これらの紡績糸を一本で撚った単糸、または同種類若しくは異種類の紡績糸を二本で撚る双糸、三本で撚る三子糸等の諸糸を用い、これらの単糸若しくは諸糸を単独使用し、または同種類若しくは異種類の単糸若しくは諸糸を複数使用し、７ゲージ・１０ゲージ・１３ゲージ・１５ゲージ等の編み機で編成する。従って、アラミド繊維で編成した場合には耐カット性に優れ、アクリル繊維で編成した場合には耐防寒性に優れた縫製手袋３０が成形され、また７ゲージ編み機で編成された場合には厚く、１５ゲージ編み機で編成された場合には薄い編成手袋３０が成形される。
【００２８】
また、編成手袋３０の袖部３１には、ゴム編部が形成されていないで、上述の縫製手袋１０の袖部１１に形成されているスリット１２と対応する同じ位置にスリット３２が形成されていて、このスリット３２の縁部と縫製手袋１０のスリット１２の縁部とが縫合されていると共に、編成手袋３０の入口部３４と縫製手袋１０の入口部１４とが縫合されて、一体となった作業用手袋１が成形されている。
【００２９】
以上の通り、本考案に係る作業用手袋１は、縫製手袋１０の内側で、手に直接当たる部位に吸湿性が良い繊維で編成されている編成手袋３０が縫合されているので、吸汗性を向上することが可能となる。更に、手に直接当たる内側は縫製部がない編成手袋３０であるので、手に縫製部が直接当たる不快感を無くすことが可能となる。しかも外側の縫製手袋１０の縫製部１８と手との間に編成手袋３０が介在するので、編成手袋１０の縫製部１８が直接手に触れるのを防止すると共に、編成手袋３０がクッションの機能を果たし、縫製手袋１０の縫製部１８が手を押圧する不快感をなくし、装着感を向上することが可能となる。
【００３０】
更に、内側に縫合される編成手袋３０に使用される糸を変更することにより、種々の機能を有する編成手袋３０を成形することができ、従って、これらを縫製手袋１０の内側に縫合することで、顧客の要望に対応できる、使用条件に応じた機能・用途別の種々の作業用手袋１を簡易に揃えることが可能となる。
【００３１】
更に、図１に示す通り、縫製手袋１０の袖部１１にマジックテープ１３が組付けられている場合には、袖部（２２・４２）を手に圧着させることができ、手袋の入口から外気が侵入するのを防止することができ、保温性を向上することが可能となる。
【００３２】
第２実施形態：
図３は、本発明に係る第２実施形態の作業用手袋であり、（１）は背側から見た説明図、（２）は腹側から見た説明図であり、左右対称であるため右手用のみを示している。第２実施形態の作業用手袋１は、第１実施形態と構成を共通にする部分を有するので、共通する部分の説明を省略し、異なる部分についてのみ説明する。
【００３３】
第２実施形態に係る作業用手袋１は、第１実施形態と異なり、縫製手袋１０の袖部が欠落し、本体部１５のみで形成されており、また、編成手袋３０は、袖部３１にスリットが形成されておらず、ゴム編部３７が形成されている。そして、縫製手袋１０と編成手袋３０とは、縫製手袋１０の本体部１５の縁部１６と編成手袋３０の本体部３５の縁部３６とが縫合されて、一体となった作業用手袋１が成形されている。
【００３４】
従って、第２実施形態の作業用手袋１は、縫製手袋３０の手首部３１に形成されているゴム編部３７が手に密着するので、手袋の入口から外気が侵入するのを防止することができ、保温性を向上することができる。その他については、第１実施形態と構成が同じであるので、同じ作用効果を奏する。
【図面の簡単な説明】
【００３５】
【図１】本考案の第１実施形態に係る作業用手袋の概念図である。
【図２】本考案の第１実施形態の別の形態に係る作業用手袋の概念図である。
【図３】本考案の第２実施形態に係る作業用手袋の概念図である。
【符号の説明】
【００３６】
１          作業用手袋
１０        縫製手袋
１１，３１  手首部
１２，３２  スリット
１３        マジックテープ
１４，３４  入口部
１５，３５  本体部
１６，３６  縁部
５          表示スイッチ
１８        縫製部
３０        編成手袋
３７        ゴム編部
【図１】
0003137355.tif 000003
【図２】
0003137355.tif 000004
【図３】
0003137355.tif 000005